(57)【要約】【課題】  簡易な方法で電力制御の負荷集中を緩和し、また、制御遅延を緩和する無線基地局を提供する。【解決手段】  フレーム生成部５０２ではダミーのＴＰＣコマンドを挿入しておき、電力設定部５０６でＴＰＣコマンドの設定を行うようにしているので、挿入するＴＰＣコマンド決定の処理をフレーム生成部５０２、変調部５０３、拡散部５０４での処理時間分遅延させることができ、また、ＴＰＣコマンド決定の処理及び電力値決定の処理と、ＴＰＣコマンド挿入ステータスの制御処理及び電力設定ステータス制御処理とを分離して異なるタイミングで行うようにしているので、処理が集中しても負荷分散を行うことができる無線基地局である。【選択図】        図１
2008167495.tif 000002
【特許請求の範囲】
【請求項１】
移動端末からの信号の受信品質が一定となるよう送信データに電力制御コマンドを挿入し、移動端末からの受信データにおける電力制御コマンドに基づいて送信電力を調整する無線基地局であって、
受信信号の品質を測定する品質測定部と、
送信データに挿入する電力制御コマンドを決定する条件を制御する電力制御コマンド挿入ステータス制御部と、
測定した受信信号の品質と電力制御コマンドを決定する条件により挿入する電力制御コマンドを決定する電力制御コマンド決定部と、
受信データから電力制御コマンドを同期検波し、判定する検波・判定部と、
呼に対する送信電力を決定する条件を制御する電力設定ステータス制御部と、
判定した電力制御コマンドと送信電力を決定する条件により当該呼に対する送信電力値を決定する電力決定部と、
符号化された送信データに対して同期検波用パイロットシンボルとダミーの電力制御コマンドを挿入してフレームを生成するフレーム生成部と、
フレーム生成した送信データを一次変調する変調部と、
呼毎の拡散コードを用いて拡散変調を行う拡散部と、
電力決定部で決定された送信電力値と、呼毎に拡散変調された信号とを乗算する電力設定部と、
を有することを特徴とする無線基地局。
【請求項２】
電力設定部は、電力制御コマンドを挿入するのに、電力決定部で決定された送信電力値の符号を電力制御コマンドに応じて反転するものであることを特徴とする請求項１記載の無線基地局。
【請求項３】
電力制御コマンド決定部における電力制御コマンドの決定と、電力決定部における送信電力値の決定を呼毎のタイミングで行い、
電力制御コマンド挿入ステータス制御部における制御処理と、電力設定ステータス制御部における制御処理を、基地局配下の全呼に対して一括で行うか、または単位時間当たりの処理呼数を定めて行うことを特徴とする請求項１又は２記載の無線基地局。
【発明の詳細な説明】
【技術分野】
【０００１】
本発明は、移動端末との無線通信を行う無線基地局に係り、特に、移動端末からの信号の受信品質が一定となるように送信データの中に電力制御（ＴＰＣ：Transmitter Power Control）コマンドを挿入し、また移動端末からのＴＰＣコマンドにより送信電力を調整する、いわゆる送信電力制御を行う無線基地局に関する。
【背景技術】
【０００２】
従来技術を用いた送信電力制御を行う無線基地局の構成について、Ｗ−ＣＤＭＡ（Wide Band - Code Divisional Multiple Access）システムを例にして図８を用いて説明する。図８は、従来の無線基地局の構成ブロック図である。
従来の無線基地局は、図８に示すように、基地局配下の各呼のベースバンド送受信を行うベースバンド送受信部１１，１２，１３…と、チャネルを多重化してベースバンド（ＢＢ）送信信号を出力するチャネル（ＣＨ）多重部２１とを備えている。
尚、ベースバンド送受信部１１はチャネルゼロ（＃ＣＨ０）を、ベースバンド送受信部１２はチャネル１（＃ＣＨ１）を、ベースバンド送受信部１３はチャネル２（＃ＣＨ２）を担当している。
【０００３】
各ベースバンド送受信部は、送信データの符号化を行う符号化部１０１と、符号化した送信データに対し同期検波用パイロットシンボル及びＴＰＣコマンドを挿入するフレーム生成部１０２と、例えばＱＰＳＫ（Quadrature Phase Shift Keying：直交位相変移変調），１６ＱＡＭ（16-positions Quadrature Amplitude Modulation）などの一次変調を行う変調部１０３と、呼毎の拡散コードを用いて拡散変調を行う拡散部１０４と、呼毎の電力値を決定する電力制御部１０５と、呼毎の拡散信号と電力制御部１０５で決定された電力値を乗算する電力設定部１０６と、また、受信信号から呼毎の参照コードを用いて逆拡散を行い、呼の受信信号を抽出する逆拡散部１０７−１，１０７−２と、抽出した呼毎の受信信号に対し同期検波を施す検波部１０８−１，１０８−２と、抽出した呼毎の受信信号に対しその受信品質（ＳＩＲ：Signal to Interference Ratio：希望波電力対干渉波電力比）を測定するＳＩＲ測定部１０９と、測定したＳＩＲから挿入ＴＰＣコマンドを決定する挿入ＴＰＣ生成部１１０と、同期検波した受信信号のうちＴＰＣコマンドについて判定するＴＰＣ判定部１１１と、同期検波した受信信号のうち伝送データについて判定するデータ判定部１１２と、判定した伝送データの復号を行う復号化部１１３とから構成される。
また、ＣＨ多重部２１は、呼毎の送信処理後のデータを加算多重する部位である。
【０００４】
図８に示す従来の無線基地局の動作、特に送信電力制御に係る動作について説明する。
まず、符号化部１０１で符号化された送信データは、フレーム生成部１０２に入力される。フレーム生成部１０２では送信データに対し同期検波用パイロットシンボル及びＴＰＣコマンドを挿入する。
【０００５】
パイロットシンボル、ＴＰＣコマンドは図９に示すように、送信信号１スロット（slot）周期で挿入される。図９は、ダウンリンク（Down Link：ＤＬ）とアップリンク（Up Link：ＵＬ）のフレーム構成例を示す図である。尚、図９で、ｐはパイロットシンボルを、ｄはデータシンボルを、ｔはＴＰＣコマンドを表している。
【０００６】
パイロットシンボルは当該呼のシステムタイミングを元に付与されたslot番号について基地局、端末とも既知であるユニークなシンボルが挿入される。
ＴＰＣコマンドに関しては、例えば図９の呼Ａ（ＵＬ）の受信パイロットシンボルからそのＳＩＲを測定し、測定結果に応じて挿入ＴＰＣ生成部１１０にて挿入ＴＰＣコマンドが決定、生成される。一般的には当該呼の基準ＳＩＲと測定ＳＩＲを比較し、
測定ＳＩＲ  ＞  基準ＳＩＲ  時には  ＤＯＷＮコマンド
測定ＳＩＲ  ＜  基準ＳＩＲ  時には  ＵＰコマンド
を生成する。
【０００７】
その生成された挿入ＴＰＣコマンドがフレーム生成部１０２で呼Ａ（ＤＬ）の送信信号の次の１slotに挿入され、フレーム化された送信データは変調部１０３で変調され、拡散部１０４で拡散が施され、電力設定部１０６に入力される。
【０００８】
一方受信したＢＢ信号は当該呼用の参照コードによって逆拡散部１０７−１，１０７−２で逆拡散され、検波部１０８−１，１０８−２で同期検波が施され、ＴＰＣコマンドシンボルはＴＰＣ判定部１１１でＴＰＣコマンドの判定がされ、データシンボルはデータ判定部１１２でデータの判定がされる。
【０００９】
データ判定部１１２にて判定されたデータは復号化部１１３で復号され、受信データを得ることができる。
また、ＴＰＣ判定部１１１に判定されるＴＰＣコマンドは、一般的に「電力ＵＰ」、「電力ＤＯＷＮ」の情報を持っており、ＴＰＣ判定部１１１での判定結果から電力制御部１０５において、現状の電力値に対して例えば「電力ＵＰ」の場合は＋１ｄＢ、「電力ＤＯＷＮ」の場合は−１ｄＢという電力を決定することになる。
【００１０】
決定した電力値は、図９に示すようなタイミングにて反映され、電力設定部１０６にて送信データと乗算され、出力される。各呼毎の電力値によってｂｉｔ拡張された送信データは、ＣＨ多重部２１にて多重化され出力される。
【００１１】
尚、ある送受信局において、対向局からの受信品質が一定になるように対向局からの送信電力を調整する、いわゆる送信電力制御を行うことを前提とするＤＳ−ＣＤＭＡ（Direct Sequence Code Division Multiple Access：直接拡散符号分割多元接続）における送信電力制御に関する先行技術として、特開２００５−１５９４９６「送信電力制御方法」がある（特許文献１参照）。
【００１２】
【特許文献１】特開２００５−１５９４９６号公報
【発明の開示】
【発明が解決しようとする課題】
【００１３】
無線基地局においては上記動作が複数呼について行われることになるが、この場合、以下に説明する問題点があった。
この問題点について図１０、図１１を参照しながら説明する。図１０は、呼毎のフレーム境界がシステムタイミングに対して相対的にオフセットを持つ場合のフレーム構成の模式図であり、図１１は、呼毎のフレーム境界がシステムタイミングに一致している場合のフレーム構成の模式図である。
【００１４】
図１０に示すような場合、呼毎の許容電力設定時間、挿入ＴＰＣ生成時間が同様にシステムタイミングに対して相対的にオフセットを持っており、言い換えると許容時間に対する実効的な呼毎の処理の負荷分散が行われていることと等価となる。
【００１５】
これに対して、図１１の場合、呼毎の許容電力設定時間、挿入ＴＰＣ生成時間が完全に一致しているので、許容時間に対する呼毎の実効的な処理時間が短いことが要求され、すなわち負荷が集中していることと等価となる。
【００１６】
システムがこの状況を許容しているとき、この負荷集中にも対応できるように高速な処理を実行しなければならない。例えば上記処理を信号処理プロセッサも用いて行うことを想定した場合、負荷集中時にも対応できるような高速なプロセッサを用いるということが考えられる。
【００１７】
しかしながら、一般的に高速なプロセッサほど高価であるという問題がある。
また、上記処理の処理構成として、単位時間当たりの処理量、例えば1シンボル時間に２呼、のように決めて処理する場合、ある呼に対しては許容時間を守れるが、ある呼に対しては守れないという問題が発生する。許容時間を守れない場合、いわゆる電力制御遅延による寄生振動が発生し、基地局側、端末側双方の受信品質が劣化することになる。
【００１８】
また、図８の挿入ＴＰＣ処理はフレーム生成部１０２にて行われる構成となっており、フレーム生成処理以降、変調部１０３での変調、拡散部１０４での拡散、電力設定部１０６での電力設定と処理が続くことになる。
【００１９】
すなわち、ＴＰＣコマンドを挿入するタイミングは変調、拡散、電力設定などの処理時間を考慮し、時間的にさらに前に処理する必要がある。これは、実効的には図９の許容挿入ＴＰＣ生成時間がさらに短いということを意味し、負荷集中時の上記問題をさらに深刻にするものと考えられる。
【００２０】
本発明は上記実情に鑑みて為されたもので、簡易な方法で電力制御の負荷集中を緩和し、また、制御遅延を緩和する無線基地局を提供することを目的とする。
【課題を解決するための手段】
【００２１】
上記従来例の問題点を解決するための本発明は、移動端末からの信号の受信品質が一定となるよう送信データに電力制御コマンドを挿入し、移動端末からの受信データにおける電力制御コマンドに基づいて送信電力を調整する無線基地局であって、受信信号の品質を測定する品質測定部と、送信データに挿入する電力制御コマンドを決定する条件を制御する電力制御コマンド挿入ステータス制御部と、測定した受信信号の品質と電力制御コマンドを決定する条件により挿入する電力制御コマンドを決定する電力制御コマンド決定部と、受信データから電力制御コマンドを同期検波し、判定する検波・判定部と、呼に対する送信電力を決定する条件を制御する電力設定ステータス制御部と、判定した電力制御コマンドと送信電力を決定する条件により当該呼に対する送信電力値を決定する電力決定部と、符号化された送信データに対して同期検波用パイロットシンボルとダミーの電力制御コマンドを挿入してフレームを生成するフレーム生成部と、フレーム生成した送信データを一次変調する変調部と、呼毎の拡散コードを用いて拡散変調を行う拡散部と、電力決定部で決定された送信電力値と、呼毎に拡散変調された信号とを乗算する電力設定部とを有することを特徴とする。
また、電力設定部は、送信データが時間的に挿入する電力制御（ＴＰＣ）コマンドでのタイミングの場合には、挿入した電力制御（ＴＰＣ）コマンドに応じて、送信電力値の符号を反転する機能を有する。
【００２２】
本発明は、上記無線基地局において、電力制御コマンド決定部における電力制御コマンドの決定と、電力決定部における送信電力値の決定を呼毎のタイミングで行い、電力制御コマンド挿入ステータス制御部における制御処理と、電力設定ステータス制御部における制御処理を、基地局配下の全呼に対して一括で行うか、または単位時間当たりの処理呼数を定めて行うことを特徴とする。
【発明の効果】
【００２３】
本発明によれば、移動端末からの信号の受信品質が一定となるよう送信データに電力制御コマンドを挿入し、移動端末からの受信データにおける電力制御コマンドに基づいて送信電力を調整する無線基地局であって、受信信号の品質を測定する品質測定部と、送信データに挿入する電力制御コマンドを決定する条件を制御する電力制御コマンド挿入ステータス制御部と、測定した受信信号の品質と電力制御コマンドを決定する条件により挿入する電力制御コマンドを決定する電力制御コマンド決定部と、受信データから電力制御コマンドを同期検波し、判定する検波・判定部と、呼に対する送信電力を決定する条件を制御する電力設定ステータス制御部と、判定した電力制御コマンドと送信電力を決定する条件により当該呼に対する送信電力値を決定する電力決定部と、符号化された送信データに対して同期検波用パイロットシンボルとダミーの電力制御コマンドを挿入してフレームを生成するフレーム生成部と、フレーム生成した送信データを一次変調する変調部と、呼毎の拡散コードを用いて拡散変調を行う拡散部と、電力決定部で決定された送信電力値と、呼毎に拡散変調された信号とを乗算する電力設定部とを有する無線基地局としているので、電力制御コマンドの設定を電力設定部で行うことにより、リアルタイム性を要求される電力制御コマンド決定部での処理はフレーム生成部、変調部、拡散部の処理時間分遅延させることができ、リアルタイム性が要求される処理が集中した場合でも、負荷分散を行うことができる効果がある。
また、電力設定部は、送信データが時間的に挿入する電力制御（ＴＰＣ）コマンドでのタイミングの場合には、挿入した電力制御（ＴＰＣ）コマンドに応じて、送信電力値の符号を反転する機能を有する。
【００２４】
本発明によれば、電力制御コマンド決定部における電力制御コマンドの決定と、電力決定部における送信電力値の決定を呼毎のタイミングで行い、電力制御コマンド挿入ステータス制御部における制御処理と、電力設定ステータス制御部における制御処理を、基地局配下の全呼に対して一括で行うか、または単位時間当たりの処理呼数を定めて行う上記無線基地局としているので、リアルタイム性を要求される電力制御コマンド決定部での処理及び電力決定部での処理と、リアルタイム性を要求されない電力制御コマンド挿入ステータス制御部の制御処理及び電力設定ステータス制御部の制御処理とを分離して異なるタイミングで行うことができ、リアルタイム性を必要とする処理の負荷の集中を軽減できる効果がある。
【発明を実施するための最良の形態】
【００２５】
本発明の実施の形態について図面を参照しながら説明する。
本発明の実施の形態に係る無線基地局は、フレーム生成部ではダミーのＴＰＣコマンドを挿入しておき、電力設定部でＴＰＣコマンドの設定を行うようにしているので、挿入するＴＰＣコマンド決定の処理をフレーム生成部、変調部、拡散部での処理時間分遅延させることができ、処理が集中しても負荷分散を行うことができる。
【００２６】
また、本発明の実施の形態に係る無線基地局は、リアルタイム性を要求されるＴＰＣコマンド決定の処理及び電力値決定の処理と、リアルタイム性を要求されないＴＰＣコマンド挿入ステータスの制御処理及び電力設定ステータス制御処理とを分離して異なるタイミングで行うようにしているので、リアルタイム性を必要とする処理の負荷の集中を軽減できるものである。
【００２７】
本発明の実施の形態に係る無線基地局の構成について図１を参照しながら説明する。図１は、本発明の実施の形態に係る無線基地局の構成ブロック図である。
本発明の実施の形態に係る無線基地局（本基地局）は、図１に示すように、基地局配下の各呼のベースバンド送受信を行うベースバンド送受信部５１，５２，５３…と、チャネルを多重化してベースバンド（ＢＢ）送信信号を出力するチャネル（ＣＨ）多重部６１と、送信電力を決定するための条件を制御する電力設定ステータス制御部７１と、挿入するＴＰＣコマンドを決定するための条件を制御するＴＰＣ挿入ステータス制御部８１とを備えている。
尚、ベースバンド送受信部５１はチャネルゼロ（＃ＣＨ０）を、ベースバンド送受信部５２はチャネル１（＃ＣＨ１）を、ベースバンド送受信部５３はチャネル２（＃ＣＨ２）を担当している。
【００２８】
各ベースバンド送受信部は、送信データの符号化を行う符号化部５０１と、符号化した送信データに対し同期検波用パイロットシンボル及びダミーのＴＰＣコマンドを挿入するフレーム生成部５０２と、例えばＱＰＳＫ，１６ＱＡＭなどの一次変調を行う変調部５０３と、呼毎の拡散コードを用いて拡散変調を行う拡散部５０４と、呼毎の電力値を決定し、その電力値を出力する電力決定部５０５と、呼毎の拡散信号と電力決定部５０５で決定された電力値を乗算する電力設定部５０６と、また、受信信号から呼毎の参照コードを用いて逆拡散を行い、呼の受信信号を抽出する逆拡散部５０７−１，５０７−２と、抽出した呼毎の受信信号に対し同期検波を施す検波部５０８−１，５０８−２と、抽出した呼毎の受信信号に対しその受信品質（ＳＩＲ）を測定するＳＩＲ測定部５０９と、測定したＳＩＲから挿入ＴＰＣコマンドを決定する挿入ＴＰＣ生成部５１０と、同期検波した受信信号のうちＴＰＣコマンドについて判定するＴＰＣ判定部５１１と、同期検波した受信信号のうち伝送データについて判定するデータ判定部５１２と、判定した伝送データの復号を行う復号化部５１３とから構成される。
【００２９】
また、ＣＨ多重部６１は、呼毎の送信処理後のデータを加算多重する部位である。
電力設定ステータス制御部７１は、無線基地局配下の呼に対する送信電力を決定するための条件を制御する部位である。
ＴＰＣ挿入ステータス制御部８１は、無線基地局配下の呼に対して挿入するＴＰＣコマンドを決定するための条件を制御する部位である。
【００３０】
次に、本基地局における動作について図1を参照しながら説明する。
符号化部５０１で符号化された送信データは、フレーム生成部５０２に入力される。
フレーム生成部５０２では送信データに対し同期検波用パイロットシンボル及びダミーのＴＰＣコマンドを挿入する。パイロットシンボル、ＴＰＣコマンドは従来技術と同様、送信信号１slot周期で挿入される。パイロットシンボルは当該呼のシステムタイミングを元に付与されたslot番号について基地局、端末とも既知であるユニークなシンボルが挿入される。
【００３１】
本発明の実施の形態においては、フレーム生成部５０２にて挿入するＴＰＣコマンドに関しては測定したＳＩＲに拘わらず、固定のシンボルをダミーで挿入する。更に、フレーム生成部５０２は、ダミーのＴＰＣコマンドを挿入したシンボルを識別できるように挿入ＴＰＣタイミング情報を生成し、電力設定部５０６に出力する。そして、フレーム化された送信データは変調部５０３で変調され、拡散部５０４で拡散が施され、電力設定部５０６に入力される。
電力設定部５０６では電力の設定及びＴＰＣコマンドの挿入が行われる。
【００３２】
ここで図２を用いて電力設定部５０６におけるＴＰＣコマンドの挿入方法について説明する。図２は、電力設定部の概略構成ブロック図である。
図２において、挿入ＴＰＣ判定部６０１は、挿入ＴＰＣ決定部５１０からの出力である挿入するＴＰＣ情報（挿入ＴＰＣ情報）が「電力ＵＰ指示」又は「電力ＤＯＷＮ指示」であるかを判定する。
【００３３】
スイッチ部６０２は、上記判定した挿入ＴＰＣ情報によって「電力ＤＯＷＮ指示」であれば、“−1”を出力し、「電力ＵＰ指示」であれば、“＋1”を出力するのを切り替える。
【００３４】
乗算器６０３は、電力決定部５０５の出力である電力設定値とスイッチ部６０２の出力を乗算し、電力設定値に符号を付与する。
乗算器６０４は、「＋」又は「−」の符号が付された電力設定値と拡散部５０４から拡散信号を乗算し、電力設定後の拡散信号を出力する。
【００３５】
上述したように、フレーム生成部５０２にて挿入されるＴＰＣコマンドシンボルはダミーであり、固定のシンボルである。仮に一次変調にＱＰＳＫを想定し、図３のように仮定すると、ＴＰＣシンボルは図３の（１）か（２）かのどちらかをとりうる。図３は、ＱＰＳＫ変調におけるＴＰＣコマンドシンボルマッピングの例を示す図である。
【００３６】
挿入ＴＰＣタイミング情報をフレーム生成部５０２から入力し、ＴＰＣ挿入タイミング到来時に、挿入ＴＰＣコマンド判定結果からスイッチ６０２を動作させ、乗算器６０３で電力設定値に符号を付与し、＋（電力設定値）若しくは−（電力設定値）を出力する。
【００３７】
ダミーで挿入するＴＰＣコマンドをＵＰコマンド（図３中（１））と仮定すると、乗算器６０３の出力の値が−（電力設定値）の場合、挿入ＴＰＣコマンドは乗算器６０４の乗算により反転され、図３中（２）の位相点になる。
逆に、乗算器６０３の出力の値が＋（電力設定値）の場合、挿入ＴＰＣコマンドは乗算器６０４の乗算後も図7中（１）の位相点が維持される。
【００３８】
本基地局では、挿入ＴＰＣのタイミングを実効的に従来技術よりも遅延させることが可能となる。
一方受信したＢＢ信号は当該呼用の参照コードによって逆拡散部５０７−１，５０７−２で逆拡散され、同期検波部５０８−１，５０８−２で同期検波が施され、ＴＰＣコマンドシンボルはＴＰＣ判定部５１１にて判定され、データシンボルはデータ判定部５１２にて判定される。データ判定部５１２にて判定されたデータは復号化部５１３で復号され、受信データを得ることができる。
【００３９】
ここで本基地局における送信電力制御手段について図４〜７を用いて説明する。図４は、送信電力の決定のための条件内容を示す図であり、図５は、電力設定ステータス制御部と電力決定部の処理例を示す図であり、図６は、挿入ＴＰＣの決定のための条件内容を示す図であり、図７は、ＴＰＣ挿入ステータス制御部と挿入ＴＰＣ決定部の処理例を示す図である。
【００４０】
図４に示す送信電力決定のための条件は、電力設定ステータス制御部７１で「入力」に対する「条件」を「判断」し、その「判断」結果を電力決定部５０５に出力すると、電力決定部５０５が「判断」結果に従った「状態」になるよう制御するようになっている。
【００４１】
つまり、「入力」欄に示す情報等が電力設定ステータス制御部７１に入力された場合に、「条件、判断」欄に示すように、当該情報等に対応した条件について判断し、「状態」欄に示すように、条件に対する判断結果によって電力決定部５０５で状態を制御するものである。
【００４２】
電力設定ステータス制御部７１は、それぞれの状態の優先度、若しくはシステム上取り得る、又は取り得ないを判断し、出力としては図５中に記載しているように、強制電力増加制御、電力値ｈｏｌｄ（維持）制御、判定ＴＰＣによる±１ｄＢ制御、判定ＴＰＣによる±２ｄＢ制御、送信ＯＦＦというステータスの中からどれかを選択し、電力設定ステータスとして出力する。
【００４３】
電力決定部５０５では電力設定ステータスに基づき動作を行う。
例えば、判定ＴＰＣによる土１ｄＢ制御ステータスが指定されたときには、当該呼のタイミングにて当該呼における電力設定値算出、決定処理に判定ＴＰＣと前基準電力値を用いて現電力設定値を決定、更新する。
【００４４】
以上の例のように、電力値の決定に関する処理（制御）のうち、例えば判定ＴＰＣの結果が既知になってから処理が初めてできる部分として、電力決定部５０５などの真にリアルタイム性が要求される処理と、予め既知で真にリアルタイム性が要求されない部分として、電力設定ステータス制御部７１での処理とに分けられる。
【００４５】
図６に示す挿入ＴＰＣ決定のための条件は、ＴＰＣ挿入ステータス制御部８１で「入力」に対する「条件」を「判断」し、その「判断」結果を挿入ＴＰＣ決定部５１０に出力すると、挿入ＴＰＣ決定部５１０が「判断」結果に従った「状態」になるよう制御するようになっている。
【００４６】
図７は、挿入ＴＰＣを決定する場合についての処理を示したものであるが、図７はＷ−ＣＤＭＡにおける挿入ＴＰＣを決定するための条件の例を示している。
図６の入力を基に、ＴＰＣ挿入ステータス制御部８１では図６中の条件について判断し、それぞれについて状態を確定する。それぞれの状態の優先度、若しくはシステム上取り得る、又は取り得ないを判断し、出力としては図７中に記載しているように、前回出力に対する反転出力を挿入、強制ＵＰコマンドを挿入、TargetSIRとSIR測定結果の比較結果を挿入、挿入せずというステータスの中からどれかを選択し、ＴＰＣ挿入ステータスとして出力する。
【００４７】
挿入ＴＰＣ決定部５１０ではＴＰＣ挿入ステータスに基づき動作を行う。
例えば、TargetSIRとSIR測定結果の比較結果を挿入ステータスが指定されたときには、当該呼のタイミングにて当該呼における挿入ＴＰＣ算出、決定処理に測定SIRとTargetSIRを用いて挿入ＴＰＣを決定、更新する。
【００４８】
以上の例のように、挿入ＴＰＣの処理に関しても電力設定処理と同様に、挿入ＴＰＣの決定に関する処理（制御）のうち、例えばSIRの測定結果が既知になってから処理が初めてできる部分として、挿入ＴＰＣ決定部５１０などの真にリアルタイム性が要求される処理と、予め既知で真にリアルタイム性が要求されない部分として、ＴＰＣ挿入ステータス制御部８１の処理とに分けられる。
【００４９】
このように真にリアルタイム性が要求される処理（制御）と予め既知で真にリアルタイム性が要求されない処理（制御）に分けることによる、複数呼に対する送信電力制御処理について説明する。
真にリアルタイム性が必要とされない電力設定ステータス制御処理、ＴＰＣ挿入ステータス制御処理は既知であるということを利用して、例えば複数呼に対してあらかじめプロセッサの負荷状況に応じて一括に処理することも可能であるし、単位時間当たりの処理呼数を一意に決めて負荷を分散させることが可能となり、結果的に真にリアルタイム性が必要とする処理の負荷の集中度を軽減することにつながり、負荷集中による許容時間規定未達の問題も緩和される。
【００５０】
以上詳細に説明したように、本基地局の構成及び送信電力制御手順により、送信電力制御処理の負荷を分散させるとともに、挿入ＴＰＣ生成に対する実効的な許容時間を増大させることができる効果がある。
【産業上の利用可能性】
【００５１】
本発明は、簡易な方法で電力制御の負荷集中を緩和し、また、制御遅延を緩和する無線基地局に好適である。
【図面の簡単な説明】
【００５２】
【図１】本発明の実施の形態に係る無線基地局の構成ブロック図である。
【図２】電力設定部の概略構成ブロック図である。
【図３】ＱＰＳＫ変調におけるＴＰＣコマンドシンボルマッピングの例を示す図である。
【図４】送信電力の決定のための条件内容を示す図である。
【図５】電力設定ステータス制御部と電力決定部の処理例を示す図である。
【図６】挿入ＴＰＣの決定のための条件内容を示す図である。
【図７】ＴＰＣ挿入ステータス制御部と挿入ＴＰＣ決定部の処理例を示す図である。
【図８】従来の無線基地局の構成ブロック図である。
【図９】ダウンリンク（ＤＬ）とアップリンク（ＵＬ）のフレーム構成例を示す図である。
【図１０】呼毎のフレーム境界がシステムタイミングに対して相対的にオフセットを持つ場合のフレーム構成の模式図でである。
【図１１】呼毎のフレーム境界がシステムタイミングに一致している場合のフレーム構成の模式図である。
【符号の説明】
【００５３】
１１，１２，１３，５１，５２，５３…ベースバンド送受信部、  １０１，５０１…符号化部、  １０２，５０２…フレーム生成部、  １０３，５０３…変調部、  １０４，５０４…拡散部、  １０５…電力制御部、  １０６…電力設定部、  １０７−１，１０７−２…逆拡散部、  ５０７−１，５０７−２…逆拡散部、  １０８−１，１０８−２…検波部、  ５０８−１，５０８−２…検波部、  １０９，５０９…ＳＩＲ測定部、  １１０…挿入ＴＰＣ生成部、  ５１０…挿入ＴＰＣ決定部、  １１１，５１１…ＴＰＣ判定部、  １１２，５１２…データ判定部、  １１３，５１３…復号化部、  ２１，６１…ＣＨ多重部、  ７１…電力設定ステータス制御部、  ８１…ＴＰＣ挿入ステータス制御部
【図１】
2008167495.tif 000003
【図２】
2008167495.tif 000004
【図３】
2008167495.tif 000005
【図４】
2008167495.tif 000006
【図５】
2008167495.tif 000007
【図６】
2008167495.tif 000008
【図７】
2008167495.tif 000009
【図８】
2008167495.tif 000010
【図９】
2008167495.tif 000011
【図１０】
2008167495.tif 000012
【図１１】
2008167495.tif 000013